【事件の表示】
　特許第３１７９５７６号「プリンタシステム」の請求項１乃至３に係る特許に対する特許異議の申立てについて、次のとおり決定する。
【結　論】
　訂正を認める。
　特許第３１７９５７６号の請求項１乃至３に係る特許を取り消す。
【理　由】
１．手続の経緯
　特許出願　　　　　　　　　　　　　　平成　４年　６月２９日　
　特許権設定登録                      平成１３年　４月１３日
　特許異議申し立て（申立人大木茂、請求項１乃至３に係る特許）
　　　　　　　　　　　　　　　　　　　平成１３年１２月２５日      
　特許異議申し立て（申立人小塚浩、請求項１乃至３に係る特許）
　　　　　　　　　　　　　　　　　　　平成１３年１２月２５日
　特許異議申し立て（申立人川崎英男、請求項１に係る特許）
　　　　　　　　　　　　　　　　　　　平成１３年１２月２５日
　取消理由通知　　　　　              平成１４年　６月　５日
　訂正請求　　　　　　　　　　　　    平成１４年　８月１９日
　審尋（対申立人大木茂） 　           平成１４年１１月２２日
  審尋（対申立人小塚浩）　            平成１４年１１月２２日
  審尋（対申立人川崎英男）            平成１４年１１月２２日
　回答書提出（申立人川崎英男）　　　　平成１４年１２月２７日
　回答書提出（申立人小塚浩）　　　　　平成１４年１２月３０日
　回答書提出（申立人大木茂）　　　　　平成１５年　１月　６日
　
２．訂正の適否
（１）訂正の内容
　特許権者の求めている訂正の内容は、以下のとおりである（訂正箇所にアンダーラインを付した。）。
　ア．訂正事項ａ
　特許請求の範囲を、
「【請求項１】　画像データ及びプリントジョブの内容が同一のメモリカードに蓄積され、前記メモリカードから前記画像データ及びプリントジョブの内容を読み取るカード読み取り手段と、
　制御手段と、
　印画手段と
を少なくとも備えるプリンタシステムであって、
　
前記プリントジョブの内容にはジョブ番号が付けられ、且つ、プリントジョブの内容には、　プリントジョブが一つの画像を１枚の記録紙にプリントするジョブである場合には、プリントする画像の番号とプリント枚数が書き込まれ、　プリントジョブが、１枚の記録紙に複数の画像をプリントするマルチプリントである場合には、マルチプリントであることとプリント枚数が書き込まれ、プリントジョブが、当該メモリカードに蓄積されている全ての画像を番号順に１枚の記録紙に分割してマルチプリントするインデックスである場合には、インデックスであることとプリント枚数が書き込まれてなり、
【請求項２】　前記メモリカードに蓄積されているプリントジョブには総プリント枚数が書き込まれてなり、
　前記制御手段はプリント開始に先立って前記メモリカードに蓄積されているプリントジョブで設定されている総プリント枚数、及び前記印画手段に収納されている記録紙の枚数を求め、前記記録紙の枚数が前記総プリント枚数より多い場合にプリントジョブの開始を前記印画手段に指示することを特徴とする請求項１記載のプリンタシステム。
【請求項３】　請求項２記載のプリンタシステムにおいて、警報手段を備え、前記制御手段はプリント開始に先立ってメモリカードに蓄積されているプリントジョブで設定されている総プリント枚数及び前記印画手段に収納されている記録紙の枚数を求め、前記印画手段に収納されている記録紙の枚数が前記総プリント枚数より少ない場合には前記警報手段に警報の発生を指示することを特徴とするプリンタシステム。」
と訂正する。
イ．訂正事項ｂ      
　段落【００１０】、及び【００１３】の各記載を、それぞれ、
「【課題を解決するための手段】
　上記の目的を達成するために、本発明のプリンタシステムは、画像データ及びプリントジョブの内容が蓄積されたメモリカードから前記画像データ及びプリントジョブの内容を読み取るカード読み取り手段と、制御手段と、印画手段とを少なくとも備えるプリンタシステムであって、
前記プリントジョブの内容にはジョブ番号が付けられ、且つ、プリントジョブの内容には、プリントジョブが一つの画像を１枚の記録紙にプリントするジョブである場合には、プリントする画像の番号とプリント枚数が書き込まれ、プリントジョブが、１枚の記録紙に複数の画像をプリントするマルチプリントである場合には、マルチプリントであることとプリント枚数が書き込まれ、プリントジョブが、当該メモリカードに蓄積されている全ての画像を番号順に１枚の記録紙に分割してマルチプリントするインデックスである場合には、インデックスであることとプリント枚数が書き込まれてなり、
および
「【作用】
　メモリカードには、画像データと、プリントジョブの両方が蓄積されている。プリントジョブは、どの画像データを、どのような順序でそれぞれ何枚ずつプリントするか等を定めた情報である。
プリントジョブの内容にはジョブ番号が付けられ、且つ、プリントジョブの内容には、プリントジョブが一つの画像を１枚の記録紙にプリントするジョブである場合には、プリントする画像の番号とプリント枚数が書き込まれ、プリントジョブが、１枚の記録紙に複数の画像をプリントするマルチプリントである場合には、マルチプリントであることとプリント枚数が書き込まれ、プリントジョブが、当該メモリカードに蓄積されている全ての画像を番号順に１枚の記録紙に分割してマルチプリントするインデックスである場合には、インデックスであることとプリント枚数が書き込まれている。
と訂正する。
（２）訂正の目的の適否、新規事項の有無及び拡張・変更の存否
　ア．訂正事項ａについて
　上記訂正事項ａに関連する記載として、願書に添付した明細書（以下、特許明細書という。）には、「プリントプログラム情報は、どの画像をどのような順序に、それぞれ何枚ずつプリントするかというプリントジョブが書き込まれる領域である。図５は、Ｕ／Ｉ２２により設定され、プリントプログラム情報の領域に書き込まれたプリントジョブの例を示す図であり、この例によれば、まず最初に第１番目の画像が５枚プリントされ、次に第１０番目の画像が３枚プリントされ、次に第２番目の画像が１枚プリントされ、次にマルチプリント１として設定されているものが３枚プリントされ、次にマルチプリント２として設定されているものが１枚プリントされ、最後にインデックスが３枚プリントされてプリントジョブは終了となる。このプリントジョブを実行するに際して、制御装置２１は、ジョブ４を実行する場合には画像情報の関連情報のマルチプリント１の項目に書き込まれているグルーピング情報に基づいて、どの画像をどのような位置に配置するかを定めることは当然である。ジョブ５のマルチプリント２についても同様である。また、図５においてインデックスは、当該メモリカード２９に蓄積されている全ての画像を番号順に、例えば１枚の記録紙を１６分割あるいは２５分割してマルチプリントするジョブであり、このインデックスジョブによって当該メモリカード２９に蓄積されている全ての画像を一覧することができる。（段落【００３１】）と記載され、図面には、ジョブＮｏが記載されているプリントプログラム情報を説明する図（【図５】）が記載されている。
　してみると、上記訂正事項ａは、特許明細書または図面に記載した範囲内で、プリントジョブの内容を限定したものである。
　ゆえに、上記訂正事項ａは、特許請求の範囲の減縮を目的としたものであって、新規事項の追加に該当せず、実質的に特許請求の範囲を拡張変更するものでない。
　イ．訂正事項ｂについて
　上記訂正事項ｂは、上記訂正事項ａに伴い、特許請求の範囲の記載と発明の詳細な説明の記載との整合を図るため、発明の詳細な説明の記載を訂正したもので、明瞭でない記載の釈明を目的としたものであって、新規事項の追加に該当せず、実質的に特許請求の範囲を拡張変更するものでない。
　　　
（３）むすび        
　以上のとおりであるから、上記訂正は、特許法等の一部を改正する法律（平成６年法律第１１６号）附則第６条第１項の規定によりなお従前の例によるとされる、平成１１年改正前特許法第１２０条の４第３項において準用する平成６年法律第１１６号による改正前の特許法第１２６条第１項ただし書及び第２項の規定に適合するので、当該訂正を認める。
　　　　
３．特許異議の申し立ての概要
（１）申立人大木茂は、甲第１号証（特開昭６１−２５３８１号公報）、甲第２号証（特開平２−１１３７７号公報）、参考資料１（特開平２−２８８２１号公報）、参考資料２（実願平１−１２９４７８号（実開平３−６９９７３号）のマイクロフィルム）及び参考資料３（特開平３−２７９７３号公報）を提出して、本件請求項１乃至３に係る発明は、これらに記載されたものから当業者が容易に発明をすることができたものである旨の主張をしている。
　また、申立人大木茂は、平成１５年１月６日付の回答書において、さらに、参考資料（特開昭６１−１２２６３９号公報）を提出して、上記訂正に係る訂正明細書の特許請求の範囲の請求項１乃至３に係る発明は、当業者が容易に発明をすることができたものである旨の主張をしている。
          
（２）申立人小塚浩は、特許異議申立書において、甲第１号証（特開平４−５２１６１号公報）、甲第２号証（特開平２−３０７７９５号公報）及び甲第３号証（特開平３−２７９７３号公報）を提出して、本件請求項１に係る発明は、甲第１号証または甲第２号証に記載された発明と同一あるいはそれらから当業者が容易に発明をすることができたものであり、また、本件請求項２乃至３に係る発明は、これらに記載されたものから当業者が容易に発明をすることができたものである旨の主張をしている。
　また、申立人小塚浩は、平成１４年１２月３０日付の回答書において、さらに、甲第４号証（特開昭６１−２５３８１号公報）、甲第５号証（特開平２−１０６３６８号公報）及び甲第６号証（実願昭６０−１０７５５６号（実開昭６２−１６９８３号）のマイクロフィルム）を提出して、上記訂正に係る訂正明細書の特許請求の範囲の請求項１乃至３に係る発明は、当業者が容易に発明をすることができたものであるから旨の主張をしている。
（３）申立人川崎英男は、特許異議申立書において、甲第１号証（特開平４−１３７８７７号公報）、甲第２号証（特開平４−５２１６１号公報）、甲第３号証（特開平２−２８８２３号公報）及び甲第４号証（特開平４−３７５６４号公報）を提出して、本件請求項１に係る発明は、これらに記載されたものと同一あるいはそれらから当業者が容易に発明をすることができたものである旨の主張をしている。
　また、申立人川崎英男は、平成１４年１２月２７日付の回答書において、さらに、甲第５号証（特開平１−２８１４４１号公報）及び甲第６号証（実願昭６０−１０７５５６号（実開昭６２−１６９８３号）のマイクロフィルム）を提出して、上記訂正に係る訂正明細書の特許請求の範囲の請求項１に係る発明は、当業者が容易に発明をすることができたものである旨の主張をしている。
　　
４．本件発明
　上記２．で示したように上記訂正が認められるから、本件請求項１乃至３に係る発明（以下、「本件発明１乃至３」という。）は、上記訂正に係る訂正明細書の特許請求の範囲の請求項１乃至３に記載されたとおりのものである。（上記２．（１）ア．訂正事項ａ参照）
　　　　
５．引用刊行物記載の発明
　当審が通知した取消理由に引用した刊行物１の特開昭６１−２５３８１号公報（＝申立人大木茂の提出した甲第１号証＝申立人小塚浩が回答書で提出した甲第４号証、以下、「刊行物１」という。）、同じく、刊行物３の実願平１−１２９４７８号（実開平３−６９９７３号）のマイクロフィルム（＝申立人大木茂の提出した参考資料２、以下、「刊行物３」という。）、同じく、刊行物９の特開平２−１１３７７号公報（＝申立人大木茂の提出した甲第２号証、以下、「刊行物９」という。）には、それぞれ、本件発明１乃至３に関連する事項として、以下のような事項が記載されている。
　　　
（１）刊行物１：特開昭６１−２５３８１号公報
　ア．「静止画情報が記録された複数の情報トラックと、静止画情報の再生の為の制御データが記録されたデータトラックよりなる記録媒体から静止画情報を再生する静止画再生装置・・・」（特許請求の範囲）
　イ．「第１図は本発明の一実施例の静止画記録再生装置のブロック図であり、・・・２は・・・プリンタ制御、・・・のデータ信号を変調するためのデータ信号変換器、・・・６は映像信号の変調波又はデータ信号の変調波が記録再生される円盤状磁気シート、７は磁気シート６に映像信号の変調波又はデータ信号の変調波を記録再生することに用いられる磁気ヘッド、・・・１６は本装置のすべての制御を行なう制御部であり、これは、マイクロコンピュータとメモリを有している。」（２頁左上欄７行〜右上欄１６行）
　ウ．「第３図は円盤状磁気シート６を示す図である。図において６′はシート位置決め用の開ロ、ＴＲは映像信号を記録再生する情報トラックで１トラックに映像の１フィールド分が記録される。ＤＴＲは最内周に設けられたキュートラックでデータ信号が記録再生される。キュートラックＤＴＲに記録されている情報の内で、自動再生のために使用される情報としては、自動再生する場合のトラック番地の順序に関するデータ・・・プリンタを制御するための情報として、プリントしたいトラック番地、および、その枚数がデータとして記録されている」（２頁右下欄９行〜３頁左上欄２行）
　エ．「オートでプリントモードスイッチ２８がオンされた場合について説明する。まずプリント条件データ（プリントトラック番号、プリント枚数、プリントサイズ等）をＣＰＵへ転送し、最初のプリントトラックへヘッド７をアクセスし、スイッチ５をＤ端子，スイッチ１４をＥ端子へ接続し、映像信号を再生する。この状態でプリントの開始を不図示のプリンタへ出力する。・・・そのトラックのプリントが終了すると、別のトラックのプリントがある場合には、・・・プリントを実行する。そしてすべてのプリント動作が終了するとプリントモードを解除する。」（３頁右下欄９行〜４頁左上欄３行）
　オ．「本実施例においては磁気シートを記録媒体として用いたが光デイスク等の他の記録媒体の使用も勿論可能である。」（４頁右下欄１９行〜５頁左上欄１行）
　　
（２）刊行物３：実願平１−１２９４７８号（実開平３−６９９７３号）のマイクロフィルム
　ア．「記録媒体に記録された複数の画像および編集情報を再生する再生手段と、前記記憶媒体から再生された複数の画像を前記編集情報に従って合成して記憶する記憶手段と、この記憶手段に記憶されたデータを出力する出力手段と・・・とを備えたことを特徴とする画像処理装置。」（実用新案登録請求の範囲）
　イ．「画像処理装置によれば、・・・操作手段が複数の画像の出力位置、拡大・縮小率、文字データの追加等の編集情報を指示し、出力手段が上記編集情報により編集された上記記憶手段の画像データを出力する。また、・・・編集情報は、記録手段により記録され、随時再生手段によりそのまま再生され・・・出力される」（４頁７〜１９行）
　ウ．「たとえば、画像を第６図に示すような編集態様でプリントしたいときは、第７図に示すようなデータフォーマットでビデオフロッピ２１のキュートラックＴ２に記録する。」（８頁１５〜１８行）
　エ．複数の画像を１枚の記録紙に編集プリントされる例を示す図（第６図）
　オ．画像データ指定、トラック番号、プリント位置等のそれぞれのデータを備えるデータフォーマットを示す図（第７図）
　　　
（３）刊行物９：特開平２−１１３７７号公報
　ア．「レーザビームプリンタ１０には、・・・給紙カセット内の記録紙の残存枚数を検出する給紙枚数検出装置１６が設けられ、・・・印刷を開始する前に給紙カセット内の記録紙の枚数が足りないときに、これをランプ点灯等によって警告し知らせるための表示部１７も備えている。」（３頁左上欄２〜１０行）
　イ．「ＬＢＰコントローラ１３は、ホストコンピュータ２０から制御情報の一つとして送られてくる予定プリント枚数データを格納するレジスタを有しており、・・・上述の予定プリント枚数データや給紙カセット内の枚数データ等に基づき、・・・処理を実行し、前記ＬＢＰエンジン部１５、表示部１７等に必要な制御信号を送出する。」（３頁左下欄１８行〜右下欄６行）
　ウ．「給紙カセットの給紙枚数がデータ源側での要求プリント枚数値Ａと等しいか、もしくはそれより多ければ、送信されてくる印刷データを、一度に、即ち中断させずに最後まで印刷できると判断し、」（４頁左下欄１１〜１５行）
　エ．「記録紙の枚数が送出印刷データの印刷に足りる量であれば印刷を開始させ、そうでなければ上記印刷の開始をプリンタ１０側で禁止する・・・印刷開始禁止の場合は、・・・これを明確に知らしめるべく・・・レーザプリンタ１０側の前記表示部１７に警告ランプを点灯させ」（５頁左上欄１５行〜右上欄７行）
　　
６．対比・判断 
（１）本件発明１について
　上記記載事項（５．（１）ア．〜オ．）を含む上記刊行物１に記載された発明（以下、「刊行物１発明」という。）は以下のとおりである。
　　
「静止画情報及び該静止画情報をプリントするプリンタを制御するための制御データが同一の円盤状磁気シート６等の記憶媒体に記録され、前記円盤状磁気シート６等の記憶媒体から前記静止画情報及び制御データを読み取る磁気ヘッド７等の記憶媒体読み取り手段と、
　制御部１６と、
　プリンタと
を少なくとも備える静止画再生装置とプリンタ等とからなる装置であって、
　前記制御データには、各プリント動作について、プリントトラック番地、プリント枚数、プリントサイズ等が記録されてなり、
　制御部１６は前記磁気ヘッド７等の記憶媒体読み取り手段により円盤状磁気シート６等の記憶媒体から読みとられた制御データに従って、前記円盤状磁気シート６等の記憶媒体に記録されている静止画情報のプリントを行う静止画再生装置とプリンタ等からなる装置。」                 
　　
　本件発明１（前者）と上記刊行物１発明（後者）とを対比する。
　後者の「静止画情報」、「制御データ」、「制御部６」、「プリンタ」および「静止画再生装置とプリンタ等からなる装置」は、それぞれ、前者の「画像データ」、「プリントジョブの内容」、「制御手段」、「印画手段」および「プリンタシステム」に対応しており、また、前者の「メモリカード」と後者の「円盤状磁気シート６等の記憶媒体」とは、「記憶媒体」である点で共通し、さらに、前者の「カード読み取り手段」と後者の「磁気ヘッド７等の記憶媒体読み取り手段」は、「記憶媒体読み取り手段」である点で共通しているから、両者の一致点および相違点は以下のとおりである。
　　
　〔一致点〕
　「画像データ及びプリントジョブの内容が同一の記憶媒体に蓄積され、前記記憶媒体から前記画像データ及びプリントジョブの内容を読み取る記憶媒体読み取り手段と、
　制御手段と、
　印画手段と
を少なくとも備えるプリンタシステムであって、
　制御手段は前記記憶媒体読み取り手段により記憶媒体から読み取ったプリントジョブに従って、前記記憶媒体に蓄積されている画像データのプリントを行うプリンタシステム。」
　　
　〔相違点〕
　Ａ．前者では、記憶媒体が「メモリカード」であると共にその読み取り手段を「カード読み取り手段」と称しているのに対して、後者では、記憶媒体が「円盤状磁気シート６等の記憶媒体」であり、その読み取り手段は、「磁気ヘッド７」、「再生アンプ１１」、「映像信号復調器１２」、「データ信号復調器１３」等から構成されているが、それ自体については、特に名称づけられていない点、
　Ｂ．前者では、「プリントジョブの内容にはジョブ番号が付けられ」ているのに対して、後者では、それが定かでない点
　Ｃ．前者では、「プリントジョブの内容には、プリントジョブが一つの画像を１枚の記録紙にプリントするジョブである場合には、プリントする画像の番号とプリント枚数が書き込まれ、プリントジョブが、１枚の記録紙に複数の画像をプリントするマルチプリントである場合には、マルチプリントであることとプリント枚数が書き込まれ、プリントジョブが、当該メモリカードに蓄積されている全ての画像を番号順に１枚の記録紙に分割してマルチプリントするインデックスである場合には、インデックスであることとプリント枚数が書き込まれてなり」としているのに対して、後者では、制御データ（プリントジョブの内容）には、各プリント動作について、プリントトラック番地、プリント枚数、プリントサイズ等が記録されて（書き込まれて）いる点。
　　
　〔相違点の検討〕
　相違点Ａについて、
　画像等を記憶する記憶媒体として、ＲＡＭカードやＩＣカードを使用すること、また、その読み取り手段を、記憶媒体がカードであることに対応させて「カード読み取り手段」と称することは、例を挙げるまでもなく周知であるから、相違点Ａは、単なる周知手段の置換によるものにすぎない。
　　　
　相違点Ｂについて、
　後者においても、制御データ（プリントジョブの内容）には、各プリント動作（プリントジョブ）毎に、プリントトラック番地、プリント枚数、プリントサイズ等が記録されて（書き込まれて）いるのであるから、各プリント動作（プリントジョブ）の内容を相互に識別可能であることは明らかであり、また、一般に、データ相互を識別するために番号を付けることは、周知である（例えば、特開平４−１３７８７７号公報＝取消理由に引用した刊行物６＝申立人川崎英男の提出した甲第１号証参照。）ことから、相違点Ｂは当業者が容易に想起できることであり、その作用効果も格別のものでない。
　　　　
　相違点Ｃについて、
　一般に、複数の画像データが蓄積された記憶媒体から画像データを読み取って印画手段によリプリントするプリント形態として、一つの画像を１枚の記録紙プリントする形態（以下、「１画像１枚プリント」という）、記憶媒体に蓄積されている全ての画像を番号順に１枚の記録紙に分割してマルチプリントするインデックスの形態（以下、「インデックス」という）の両者を備えることは、例えば、特開昭６４−５０６７９号公報にみられるように周知であり、また、１枚の記録紙に複数の画像を任意に組み合わせてプリントする形態（以下、「マルチプリント」という）も、上記刊行物３に記載されていることであるから、後者において、そのプリント形態（プリントジョブ）として、１画像１枚プリント、マルチプリント及びインデックスをもつようにすることは、当業者が容易に想起でき、その際、プリントジョブの内容に、これらの３つのプリント形態（プリントジョブ）相互を区別できるような事項及びそれぞれの形態に必要な事項（例えば、１画像１枚プリントならば、どの画像をプリントするか等）を書き込むようになすことも当業者が容易に考えることである。
　また、マルチプリントやインデックスプリントにも、１画像１枚プリントと同様に、そのプリント枚数を予め決めておくことも、当業者が適宜想到しうることである。
　さらに、後者は、１画像１枚プリントの場合に、プリントすべき画像相互を区別するために、各画像が記録される記録媒体上のプリント番地を使用しているが、これに替えて画像相互を区別するための画像の番号を使用することも、そのこと自体周知である（例えば、特開平４−１３７８７７号公報＝申立人川崎英男の提出した甲第１号証参照。）から、当業者が適宜なす程度のことにすぎない。
　したがって、後者において、上記３つのプリントジョブをもたせるに当たり、各プリントジョブ相互が区別できて、それぞれのプリント枚数を予め決めておけるようにすべく、相違点Ｃのように、後者の制御データ（プリントジョブの内容）に、プリントジョブが１画像１枚プリントである場合には、プリントする画像の番号とプリント枚数が書き込まれ、プリントジョブがマルチプリントである場合には、マルチプリントであることとプリント枚数が書き込まれ、プリントジョブが、インデックスである場合には、インデックスであることとプリント枚数が書き込まれてなるようにすることは、当業者が格別困難性なく想到しうる程度のことと認められ、その作用効果も格別なものでない。
　　　
　以上のとおりであるから、本件発明１は、上記刊行物１発明、刊行物３に記載の発明及び上記周知技術から当業者が容易に発明をすることができたものであるから、特許法第２９条第２項の規定により特許を受けることができない。
　　　
（２）本件発明２及び３について
　上記刊行物９には、予定プリント枚数（総プリント枚数）データを、レーザビームプリンタ１０（印画手段）のデータ源側での制御情報の一つとすること、データ源であるホストコンピュータ２０とレーザビームプリンタ１０からなる装置（プリンタシステム）に、警告ランプを備えること、ＬＢＰコントローラ１３（制御手段）は、印刷開始に先立って、上記予定プリント枚数（総プリント枚数）データから予定プリント枚数（総プリント枚数）、及びレーザビームプリンタ１０の給紙カセット内の記録紙の残存数（印画手段に収納されている記録紙の枚数）を求め、レーザビームプリンタ１０の給紙カセット内の記録紙の残存数（印画手段に収納されている記録紙の枚数）が上記予定プリント枚数（総プリント枚数）より多い場合に印刷を開始させること、少ない場合に、上記警告ランプを点灯させることが、記載されている（上記記載事項（３）ア．〜エ．参照）。
　してみると、上記刊行物１発明のデータ源は、記憶媒体であるから、記憶媒体の制御データ（プリントジョブの内容）に、記憶媒体に蓄積されているプリントジョブを行うに必要な（プリントジョブで設定されている）総プリント枚数を書き込むと共に、上記刊行物１発明の静止画再生装置とプリンタ等とからなる装置（プリンタシステム）に、警報手段を備え、さらに、制御部１６（制御手段）が、プリント開始に先立って、総プリント枚数、及びプリンタ（印画手段）に収納されている記録紙の枚数を求め、上記記録紙の枚数が上記総プリント枚数より多い場合にプリントジョブの開始をプリンタ（印画手段）に指示すること（本件発明２に相当。）は、当業者が容易に想到できる程度のことであり、さらに、少ない場合には、警報手段に警報の発生を指示すること（本件発明３に相当。）も、当業者が容易に想起できることであると認められ、その作用効果も格別なものでない。
　したがって、本件発明２及び３は、上記刊行物１発明、刊行物３、９に記載の発明及び上記周知技術から当業者が容易に発明をすることができたものであるから、特許法第２９条第２項の規定により特許を受けることができない。
　
７．むすび                   
　以上のとおりであるから、本件の請求項１乃至３に係る発明は、特許法第２９第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年４月３０日（２００３．４．３０）
【訂正の要旨】
審決（決定）の【理由】欄参照。
（５４）【発明の名称】
プリンタシステム
（５７）【特許請求の範囲】
　【請求項１】
　画像データ及びプリントジョブの内容が同一のメモリカードに蓄積され、前記メモリカードから前記画像データ及びプリントジョブの内容を読み取るカード読み取り手段と、
　制御手段と、
　印画手段と
を少なくとも備えるプリンタシステムであって、
　
前記プリントジョブの内容にはジョブ番号が付けられ、且つ、プリントジョブの内容には、
　
プリントジョブが一つの画像を１枚の記録紙にプリントするジョブである場合には、プリントする画像の番号とプリント枚数が書き込まれ、
　
プリントジョブが、１枚の記録紙に複数の画像をプリントするマルチプリントである場合には、マルチプリントであることとプリント枚数が書き込まれ、
　
プリントジョブが、当該メモリカードに蓄積されている全ての画像を番号順に１枚の記録紙に分割してマルチプリントするインデックスである場合には、インデックスであることとプリント枚数が書き込まれてなり、
　制御手段は前記カード読み取り手段によりメモリカードから読み取ったプリントジョブに従って、前記メモリカードに蓄積されている画像データのプリントを行うことを特徴とするプリンタシステム。
　【請求項２】　前記メモリカードに蓄積されているプリントジョブには総プリント枚数が書き込まれてなり、
　前記制御手段はプリント開始に先立って前記メモリカードに蓄積されているプリントジョブで設定されている総プリント枚数、及び前記印画手段に収納されている記録紙の枚数を求め、前記記録紙の枚数が前記総プリント枚数より多い場合にプリントジョブの開始を前記印画手段に指示することを特徴とする請求項１記載のプリンタシステム。
　【請求項３】　請求項２記載のプリンタシステムにおいて、警報手段を備え、前記制御手段はプリント開始に先立ってメモリカードに蓄積されているプリントジョブで設定されている総プリント枚数及び前記印画手段に収納されている記録紙の枚数を求め、前記印画手段に収納されている記録紙の枚数が前記総プリント枚数より少ない場合には前記警報手段に警報の発生を指示することを特徴とするプリンタシステム。
【発明の詳細な説明】
　【０００１】
　【産業上の利用分野】
　本発明は、プリンタシステムに関する。
　【０００２】
　【従来の技術】
　従来、ＴＶ画像を多階調、多色プリントを行うビデオプリンタが知られている。図１３はその概略の構成を示す図であり、図中、１はマイクロプロセッサ及びその周辺回路からなる制御装置、２は印画装置、３は階調制御用ルックアップテーブル（以下、単にＬＵＴと称す）、４はフレームメモリ、５はＣＲＴ等からなるモニタ、６はプリント開始を指示するためのボタン、濃度調整等の各種調整のためのボタン等からなるユーザインターフェース（以下、Ｕ／Ｉと称す）、７は外部機器インターフェース（以下、インターフェースをＩ／Ｆと称す）、８はＴＶカメラあるいはＶＴＲ等からなる外部機器、９はバスを示す。なお、印画装置２はどのような形式のプリンタでもよく、またカラープリンタでも、モノクロプリンタでもよいものである。なお、印画は印字をも含むものとする。
　【０００３】
　図１３の構成において、ＵＩ６から画像データの取り込みが指示されると、制御装置１は外部機器Ｉ／Ｆ７を介して外部機器８からそのとき入力されている画像データを１画面分取り込んでフレームメモリ４に展開すると共に、その画像をモニタ５に表示する。そしてその後Ｕ／Ｉ６からプリント開始が指示されると制御装置１はフレームメモリ４から１プリントラインずつ読み出して印画装置２に供給する。この動作が繰り返されることによって記録紙にＴＶ画像がプリントされる。
　【０００４】
　【発明が解決しようとする課題】
　しかしながら、従来のプリンタシステムにおいては多くの画像を連続してプリントする場合には非常な手間を要するものであった。即ち、従来のプリンタシステムは画像データを記憶するものとしてはフレームメモリ４しか備えておらず、しかもＴＶ画像をプリントする場合には水平方向は６４０画素程度、垂直方向は４８０画素程度で十分であるので、フレームメモリ４はこの程度の容量しか有していないものであるので、多くの画像を連続してプリントする場合には、例えば、作業者は一つの画像を選択したら当該画像のプリントが完了するまでの間、外部機器８を停止させる、あるいはストップモーションの状態に保持する等の操作を繰り返し行う必要があり、一つの画像のプリントに数分間を要するのが通常であるので、長時間に渡って作業者が拘束されるという問題があった。
　【０００５】
　これに対して、例えば図１４に示すように、バス９にパーソナルコンピュータ（以下、ＰＣと称す）１０を接続し、このＰＣ１０にプリントする画像データ及びそのプリントジョブを作成して蓄積しておき、画像のプリントを行うに際してはまず制御装置１に当該プリントジョブをＰＣ１０から読み込ませるようにすることも行われている。このような構成によれば制御装置１はプリントジョブに従って所定の画像を所定枚数ずつ自動的にプリントしていくので、作業者を長時間に渡って拘束することはないが、一つのプリンタシステムには必ず１台のＰＣが必要となるのでシステムとして大がかりになるものである。
　【０００６】
　また、従来のプリンタは自動的に多数の画像をプリントする機能を備えていないために、インクや記録紙等の消耗品は無くなってから警告されるようになっており、ＰＣを使用して外部から自動で多数のプリントを行う場合、途中で記録紙が無くなることがあり、常に作業者が注意していなければならないという問題があった。
　【０００７】
　また、ＬＵＴ３は一つ一つのストローブパルスのパルス幅が書き込まれたものであり、これらの一つ一つのストローブパルスのパルス幅は、記録紙の特性、インクの特性、印画ヘッドの特性等を考慮して全体として所望のγ特性が得られるように設定されている。従って使用するインクや記録紙が改良された場合等にはＬＵＴ３も変更される必要があるが、従来のＬＵＴ３はＲＯＭで構成されているので、印画装置２を分解してＲＯＭを交換する作業が必要であった。またプリントする画像が放送をＶＴＲで録画した画像であるか、ＴＶカメラからの画像であるか等の画像のソースの違いに応じて階調特性を変更したい場合も生じるが、従来ではこのような場合にもその都度印画装置２を分解してＬＵＴ３を交換する作業が必要であり、非常に煩わしいものであった。
　【０００８】
　本発明は、上記の課題を解決するものであって、簡単な構成で、容易に多くの画像を連続して自動的にプリントすることのできるプリンタシステムを提供することを目的とするものである。
　【０００９】
　また本発明は、階調制御用テーブルを簡単に変更することができるプリンタシステムを提供することを目的とするものである。
　【００１０】
　【課題を解決するための手段】
　上記の目的を達成するために、請求項１記載のプリンタシステムは、画像データ及びプリントジョブの内容が同一のメモリカードに蓄積され、前記メモリカードから前記画像データ及びプリントジョブの内容を読み取るカード読み取り手段と、制御手段と、印画手段とを少なくとも備えるプリンタシステムであって、
前記プリントジョブの内容にはジョブ番号が付けられ、且つ、プリントジョブの内容には、プリントジョブが一つの画像を１枚の記録紙にプリントするジョブである場合には、プリントする画像の番号とプリント枚数が書き込まれ、プリントジョブが、１枚の記録紙に複数の画像をプリントするマルチプリントである場合には、マルチプリントであることとプリント枚数が書き込まれ、プリントジョブが、当該メモリカードに蓄積されている全ての画像を番号順に１枚の記録紙に分割してマルチプリントするインデックスである場合には、インデックスであることとプリント枚数が書き込まれてなり、
　【００１１】
　また、請求項２記載のプリンタシステムは、請求項１記載のプリンタシステムにおいて、前記メモリカードに蓄積されているプリントジョブには総プリント枚数が書き込まれてなり、前記制御手段はプリント開始に先立って前記メモリカードに蓄積されているプリントジョブで設定されている総プリント枚数、及び前記印画手段に収納されている記録紙の枚数を求め、前記記録紙の枚数が前記総プリント枚数より多い場合にプリントジョブの開始を前記印画手段に指示することを特徴とする。
　【００１２】
　請求項３記載のプリンタシステムは、請求項２記載のプリンタシステムにおいて、警報手段を備え、前記制御手段はプリント開始に先立ってメモリカードに蓄積されているプリントジョブで設定されている総プリント枚数及び前記印画手段に収納されている記録紙の枚数を求め、前記印画手段に収納されている記録紙の枚数が前記総プリント枚数より少ない場合には前記警報手段に警報の発生を指示することを特徴とする。
　【００１３】
　【作用】
　メモリカードには、画像データと、プリントジョブの両方が蓄積されている。プリントジョブは、どの画像データを、どのような順序でそれぞれ何枚ずつプリントするか等を定めた情報である。
プリントジョブの内容にはジョブ番号が付けられ、且つ、プリントジョブの内容には、プリントジョブが一つの画像を１枚の記録紙にプリントするジョブである場合には、プリントする画像の番号とプリント枚数が書き込まれ、プリントジョブが、１枚の記録紙に複数の画像をプリントするマルチプリントである場合には、マルチプリントであることとプリント枚数が書き込まれ、プリントジョブが、当該メモリカードに蓄積されている全ての画像を番号順に１枚の記録紙に分割してマルチプリントするインデックスである場合には、インデックスであることとプリント枚数が書き込まれている。
　【００１４】
　これによって、メモリカードに蓄積されている多くの画像の中から所望の画像を所望の順序で、所望の枚数だけ、連続して自動的にプリントを行うことができる。
　【００１５】
　また、請求項２記載の発明では、制御手段は、プリントジョブで指定されている枚数とプリンタにセットされている記録紙等の枚数とを比較し、プリンタにセットされている枚数が、プリントジョブで指定されている枚数より多い場合にプリントジョブを開始し、更に請求項３記載の発明では、プリンタにセットされている枚数が、プリンタジョブで指定されている枚数より少ない場合には、警報手段により警報を発する。
　従って、プリント中に記録紙等が無くなることを未然に回避することができる。
　【００１６】
　【００１７】
　【実施例】
　以下、図面を参照しつつ実施例を説明する。
　図１は本発明に係るプリンタシステムの一実施例の構成を示す図であり、図中、２０はバス、２１は制御装置、２２はＵ／Ｉ、２３は表示コントローラ、２４はモニタ、２５はカード操作装置、２６はフレームメモリ、２７は印画装置、２８はメモリ、２９はメモリカード、３０は外部機器Ｉ／Ｆ、３１は外部機器を示す。
　【００１８】
　図１において、制御装置２１は、当該プリンタシステムの各部の動作を統括して管理するものであり、マイクロプロセッサ及びその周辺回路で構成される。なお、その動作の詳細については後述する。
　【００１９】
　Ｕ／Ｉ２２は制御装置２１に対して各種の動作を指示するためのものであり、例えば図２に示すように種々の操作ボタンを備えるものである。なお、各ボタンの機能については後に詳述するが、概略次のようである。メモリボタン３２及びプリントボタン３３は従来と同様のプリント処理を行うためのボタンであり、例えば外部機器３１から入力される画像の中からプリントしたい画像をメモリボタン３２によってフレームメモリ２６に取り込み、プリントボタン３３を押すことによってその画像データをプリントさせることができる。
　【００２０】
　カードプリントボタン３４は後述するプログラムプリントの実行を指示するためのボタンである。プログラムボタン３５はプログラムプリントの設定画面をモニタ２４に呼び出すためのボタンである。マルチボタン３６は、１枚の記録紙に複数の画像をプリントするマルチプリントの設定画面をモニタ２４に呼び出すためのボタンである。画質ボタン３７は画像のプリントを行う際の画質補正を行う場合に、その画質補正設定画面をモニタ２４に呼び出すためのボタンである。システムボタン３８はプリントモードあるいはその他のシステム設定画面をモニタ２４に呼び出すためのボタンである。レコード（ＲＥＣ）ボタン３９はフレームメモリ２６に書き込まれている画像データをメモリカード２９に書き込むためのボタンである。モニタボタン４０はモニタ２４に表示するビデオ信号のソースを切り換えるためのものであり、このモニタボタン４０によりフレームメモリ２６に書き込まれている画像、またはメモリカード２９に蓄積されている画像あるいは外部機器３１からの画像を選択的にモニタ２４に表示することができる。順送りボタン４１はメモリカード２９から読み出した画像データをモニタ２４に表示している場合に、再生して表示する画面を順方向にコマ送りするためのボタンであり、逆送りボタン４２は逆方向にコマ送りするためのボタンである。選択ボタン４３は種々の設定画面において入力した各種のパラメータの数値等を確定するためのボタンである。実行ボタン４４は種々の設定画面において設定した全ての項目を確定し、終了するためのボタンである。４５〜４８はそれぞれモニタ２４の画面上に表示されるカーソルを左方向、右方向、上方向、下方向に移動させるためのボタンであるが、４５は設定画面において数値入力等を行う際に値を一つマイナスする、いわゆるダウンボタンの機能を兼ね備え、また４６は設定画面において数値入力等を行う際に値を一つプラスする、いわゆるアップボタンの機能を兼ね備えているものである。
　【００２１】
　表示コントローラ２３は、カラーＣＲＴあるいはカラー液晶表示装置等からなるモニタ２４の画面にメニュー画面やＵ／Ｉ２２からの入力を要求する画面等の種々の画面の表示制御を行うものであり、周知の構成のものでよいものである。
　【００２２】
　カード操作装置２５は、メモリカード２９に蓄積されているデータを読み取ったり、メモリカード２９にＵ／Ｉ２２で作成したプリントジョブを書き込んだりするものである。なお、後述するようにこの実施例ではメモリカード２９に蓄積される画像データは適宜の高能率符号化方式でデータ圧縮されているものとするので、カード操作装置２５は圧縮されている画像データを伸長する手段を備えているものである。
　【００２３】
　フレームメモリ２６は印画装置２７で印画する画像データを一時的に蓄積しておくためのメモリであり、例えば６４０画素（水平方向）×４８０画素（垂直方向）程度の画像データを蓄積できるメモリで構成される。
　【００２４】
　印画装置２７は、フレームメモリ２６から供給される画像データを印画するものであり、どのような形式のものでもよく、またカラープリンタでも、モノクロプリンタでもよい。
　【００２５】
　メモリ２８は階調制御用テーブルを書き込むためのものであり、ＥＰＲＯＭ，ＥＥＰＲＯＭ，不揮発性ＲＡＭあるいは電源がバックアップされたＲＡＭ等で構成される。
　【００２６】
　メモリカード２９は、ＣＰＵ及び半導体メモリを搭載するいわゆるＩＣカード、あるいは半導体メモリのみを搭載するカード状メモリ、または光カード等を用いることができるが、ここでは本出願人が先に開発したデジタルスチルカメラシステム（Ｄｉｇｉｔａｌ　Ｓｔｉｌｌ　Ｃａｍｅｒａ　Ｓｙｓｔｅｍ）で使用する、８ＭビットのスタティックＲＡＭを搭載するものを用いるものとする。
　【００２７】
　さて、メモリカード２９は、デジタルスチルカメラにセットされ、撮影された画像データ・またはカード操作装置２５にセットされてフレームメモリ２６に書き込まれている画像データが蓄積されてイメージメモリカードとして使用される場合と、階調制御用テーブルが書き込まれる場合とがあるが、画像データが蓄積される場合のメモリ構造は図３Ａに示すようであり、ＩＤ情報、画像情報のアドレス情報、画像情報の関連情報、プリントプログラム情報及び画像情報が書き込まれる領域が設定される。
　【００２８】
　図３Ａにおいて、ＩＤ情報の領域には当該メモリカードが画像データが蓄積されているメモリカードであることを示す情報が書き込まれ、画像情報のアドレス情報には蓄積されている各画像が当該メモリカードのメモリ空間上のどの番地からどの番地に格納されているかを示す情報が書き込まれている。画像情報はデジタルスチルカメラで撮影された画像データが蓄積される領域であるが、図３Ｂに示すように画像データの他に画像再生情報が記憶される。画像データはデータ圧縮を行わずそのままメモリカード２９に書き込むようにしてもよいが、ここでは一つのメモリカード２９により多くの画像データを蓄積できるように、書き込みの際に高能率符号化方式、例えば適応型離散コサイン変換及びハフマン符号化方式を用いた高能率符号化方式によりデータ圧縮されるものとする。また、画像再生情報には、図３Ｃに示すように、当該画像データが何番目の画像データであるかを示すＩＤ番号、データ圧縮された後のデータ量、及び当該画像がプリントされる際の色合い、明るさ、シャープネス、コントラスト等を定める再生情報が書き込まれる。
　【００２９】
　このようにプリントするときの色合い、明るさ、シャープネス、コントラスト等を画像毎に設定できることは重要である。即ち、画像データのソースの相違あるいはデジタルスチルカメラで撮影する場合にも露出の良否等によりプリントする場合に画質の補正を行う必要が生じる場合がある。このような場合、従来においてはその都度補正の内容を設定するか、あるいはメモ書き等で画質補正の情報を残しておく作業が必要であったが、本発明によれば画像に対応して画質補正の内容が記憶されるので、常に同じ内容で画質が補正され、プリントされることになるので画質補正に要していた手間を大幅に削減することができる。
　【００３０】
　画像情報の関連情報は、マルチプリントを行う場合のグルーピング情報、即ちマルチプリントを行う場合の画像の組み合わせ、及びその配置を示す情報が書き込まれる領域であり、Ｕ／Ｉ２２のマルチボタン３６によって、例えば図４Ａに示すように、メモリカード２９の第１番目に蓄積されている画像を記録紙の左上に、第３番目に蓄積されている画像を右上に、第７番目に蓄積されている画像を左下に、第６番目に蓄積されている画像を右下にプリントするように設定された場合には、メモリカード２９の画像情報の関連情報の領域には、図４Ｂに示すように各画像の項目に次に配置される画像の番号が書き込まれる。なお、図４Ｂにおいて画像６の項目に書き込まれている「０」はグルーピングされる最後の画像であることを示すものである。また、ここでは次の配置は左から右へ、そして上から下へという順序に設定されているものとする。更に、図４Ｂにおいてはマルチプリントのグルーピング情報は一つしか設定できないように示されているが、複数のグルーピング情報が設定可能であることは当然である。
　【００３１】
　プリントプログラム情報は、どの画像をどのような順序に、それぞれ何枚ずつプリントするかというプリントジョブが書き込まれる領域である。図５は、Ｕ／Ｉ２２により設定され、プリントプログラム情報の領域に書き込まれたプリントジョブの例を示す図であり、この例によれば、まず最初に第１番目の画像が５枚プリントされ、次に第１０番目の画像が３枚プリントされ、次に第２番目の画像が１枚プリントされ、次にマルチプリント１として設定されているものが３枚プリントされ、次にマルチプリント２として設定されているものが１枚プリントされ、最後にインデックスが３枚プリントされてプリントジョブは終了となる。このプリントジョブを実行するに際して、制御装置２１は、ジョブ４を実行する場合には画像情報の関連情報のマルチプリント１の項目に書き込まれているグルーピング情報に基づいて、どの画像をどのような位置に配置するかを定めることは当然である。ジョブ５のマルチプリント２についても同様である。また、図５においてインデックスは、当該メモリカード２９に蓄積されている全ての画像を番号順に、例えば１枚の記録紙を１６分割あるいは２５分割してマルチプリントするジョブであり、このインデックスジョブによって当該メモリカード２９に蓄積されている全ての画像を一覧することができる。
　【００３２】
　以上、画像データが蓄積される場合のメモリ構造について説明したが、階調制御用テーブルが書き込まれているメモリカードの場合には、図６に示すように、階調制御用テーブルが書き込まれると共に、当該メモリカードが階調制御用テーブルが書き込まれているものであることを示すＩＤが書き込まれている。
　【００３３】
　そして、メモリカード２９がカード操作装置２５にセットされると、制御装置２１は当該メモリカード２９のＩＤを読み込み、当該メモリカードが画像データが蓄積されているものと認識した場合にはＵ／Ｉ２２が操作されることを待機するが、階調制御用テーブルが書き込まれているものと認識した場合にはその内容を読み込んでメモリ２８に書き込む。
　【００３４】
　次に、図１に示す構成の各部の動作について、オペレータの行う操作と共に説明する。まず、プリントジョブを作成する場合について説明する。まずオペレータは所定のメモリカード２９をカード操作装置２５にセットし、Ｕ／Ｉ２２のプログラムボタン３５を押す。制御装置２１はプログラムボタン３５が押されたことを検知すると、カード操作装置２５に対して当該メモリカード２９に蓄積されている画像データの中の第１番目の画像データの読み出しを指示すると共に、表示コントローラ２３に対してプログラムプリントの設定画面の表示を指示する。これによってカード操作装置２５は第１番目の画像データを読み出し、データを伸長して表示コントローラ２３に転送する。また表示コントローラ２３は、カード操作装置２５から転送されてきた画像データと、予め定められているプリントジョブ設定のための画面を合成してモニタ２４に表示する。図７はその画面の例を示す図であり、モニタ２４には、第１番目の画像と共に、ジョブ１が第１番目の画像である画像１をプリントするジョブでよいか否かの設定を要求する文字情報が表示される。なお、メモリカード２９から読み出され、伸長された画像の画素数は６４０画素（水平方向）×４８０画素（垂直方向）程度であり、この画像はモニタ２４の中の予め定められた領域に表示されることになる。従ってモニタ２４に表示される画像はモニタ２４の画像表示領域の画素数に応じて拡大あるいは縮小されるものである。また、図７Ａにおいて５０はカーソルを示す。
　【００３５】
　ジョブ１が画像１のプリントでよい場合には図７Ａの表示がなされている状態でオペレータは選択ボタン４３を押すことになるが、最初に第３番目の画像をプリントしたい場合には順送りボタン４１で画像をコマ送りする。このとき制御装置２１は、順送りボタン４１が押される度毎にカード操作装置２５に対して次の画面の読み出しを指示する。このようにして画像３をモニタ２４に表示し、その状態で選択ボタン４３を押すと、制御装置２１はジョブ１として画像３のプリントを決定し、次にプリント枚数の入力を要求する画面の表示を表示コントローラ２３に指示する。これにより、モニタ２４には例えば図７Ｂに示す画面が表示される。この画面状態において選択ボタン４３が押されるとプリント枚数は１枚に設定されるが、アップボタン４６により所望の値を入力して選択ボタン４３を押すことによってプリント枚数を所望の値に設定することができる。なお、図７Ｂでは画像３の図示は省略している。以下、同様である。
　【００３６】
　以上のようにして画像及びプリント枚数の設定が終了するとジョブ１の設定は終了となるが、その際に実行ボタン４４を押すとプリントジョブの設定は終了となり、モニタ２４には所定の初期画面が表示されることになるが、選択ボタン４３を押した場合には図７Ｃに示すようにジョブ２の設定を行うための画面が表示される。
　【００３７】
　以上は一つの画像を１枚の記録紙にプリントするジョブを設定する場合の操作であるが、マルチプリントジョブやインデックスジョブを行う場合には、例えば図７Ａあるいは図７Ｃの状態においてダウンボタン４５またはアップボタン４６を押す。これによって例えば図８Ａに示すようにマルチプリントジョブが選択可能な画面または図８Ｂに示すようにインデックスジョブが選択可能な画面を表示させることができ、この画面によりマルチプリントジョブまたはインデックスジョブを選択することができるようになされている。
　【００３８】
　以上の操作が繰り返し行われて所望のジョブが設定された後に実行ボタン４４が押されると、制御装置２１は設定された全てのジョブを確定し、確定したジョブの内容をメモリカード２９のプリントプログラム情報の領域に書き込んでプリントジョブ設定の処理を終了する。
　【００３９】
　次に、マルチプリントの設定を行う場合の画像の選択及び配置の設定を行う場合の動作、操作について説明する。まずオペレータは所定のメモリカード２９をカード操作装置２５にセットし、Ｕ／Ｉ２２のマルチボタン３６を押す。制御装置２１はマルチボタン３６が押されたことを検知すると、カード操作装置２５に対して当該メモリカード２９に蓄積されている全ての画像データの読み出しを指示すると共に、表示コントローラ２３に対してマルチプリントの設定画面の表示を指示する。これによってカード操作装置２５は当該メモリカード２９に蓄積されている全ての画像データを読み出し、データを伸長して表示コントローラ２３に転送する。これに対して表示コントローラ２３は、カード操作装置２５から転送されてきた画像データをマルチ画面に表示すると共に、所定の画像の位置、例えば画像１の位置にカーソルを表示する。図９Ａはその画面の例を示す図であり、モニタ２４の画面は１６分割され、図では省略しているがそれぞれの領域には画像１から画像１６までが表示されると共に、左上端に表示される画像１の欄には矩形状のカーソル５１が表示されている。この際各画像は所定の大きさになるように縮小されることはいうまでもない。なお、図９Ａにおいてはモニタ２４の画面は１６分割されているが２５分割でもよいことは明かである。また、図９Ａのように１６分割した場合、カードメモリ２９に１７以上の画像が蓄積されている場合には、最初の１６の画像が１頁目として表示され、それ以降の画像は２頁目として用意されており、順送りボタン４１または逆送りボタン４２により分割画面の頁送りを行うことができるようになされている。
　【００４０】
　さて、図９Ａに示す画面の状態において、カーソルボタン４５〜４８を操作することによりカーソル５１を所望の画像の位置に移動させ、選択ボタン４３を押すことによって、マルチプリントを行う画像と、その位置を設定することができる。例えばいま、画像１、画像３、画像７、画像６の順序に４つの画像を選択したとすると、モニタ２４には図９Ｂに示すように選択された画像の領域内に選択された順序を示す数値が表示される。そして、図９Ｂに示す状態で実行ボタン４４が押されると、制御装置２１はどの画像がどのように配置されるのかを認識してグルーピング情報を作成し、図４Ｂに示すようにメモリカード２９の画像情報の関連情報の領域に書き込む。
　【００４１】
　なお、以上の説明では１枚の記録紙に４つの画像をプリントする場合を例としたが、マルチプリントとしてはそれ以上の画像を１枚の記録紙にプリントすることもできるものであることは当然である。
　【００４２】
　次に、画質補正のためのパラメータを設定する場合の動作及び操作について説明する。まずオペレータは所定のメモリカード２９をカード操作装置２５にセットし、Ｕ／Ｉ２２の画質ボタン３７を押す。制御装置２１は画質ボタン３７が押されたことを検知すると、カード操作装置２５に対して当該メモリカード２９に画像１の画像データの読み出しを指示すると共に、表示コントローラ２３に対して画質補正の設定画面の表示を指示する。これによってカード操作装置２５は画像１の画像データを読み出し、データを伸長して表示コントローラ２３に転送する。また表示コントローラ２３は、カード操作装置２５から転送されてきた画像データと、予め定められている画質補正のための画面を合成してモニタ２４に表示する。図１０Ａはその画面の例を示す図であり、モニタ２４には、画像１（図示せず）と共に、色合い、明るさ、シャープネス及びコントラストの補正値を設定するためのメニューが表示されている。なお、ここでは各項目の補正値の設定は標準値からの補正量を定めることにより行うものとする。
　【００４３】
　いま例えば画像３の明るさを補正するものとすると、図１０Ａの状態において順送りボタン４１を２回押す。これによりモニタ２４には、図１０Ａと同様に、画像３と補正値を設定するためのメニューが表示される。そこで、カーソルボタン４７，４８によりカーソル５２を明るさの項目に移動させ、ダウンボタン４５またはアップボタン４６により所望の補正値を入力すればよい。図１０Ｂは明るさの補正値を＋３に設定した状態を示す図であり、この状態で実行ボタン４４が押されると、制御装置２１は補正値を確定し、その確定した補正値を画像３の画像再生情報の領域に書き込む。
　【００４４】
　次に、画像プリント時の操作及び動作について説明する。まず、従来と同様にプリントしたい画像をその都度選択してプリントする場合の操作及び動作は次のようである。外部機器３１からの画像をプリントする場合には、モニタボタン４０でソースの切り換えを行って外部機器３１からの画像をモニタ２４に表示し、外部機器３１のストップモーションやコマ送りの機能を使用してプリントしたい画像を静止画としてモニタ２４に表示する。そしてその状態でメモリボタン３２が押されると制御装置２１は当該画面の画像データをフレームメモリ２６に書き込む。その後プリントボタン３３が押されるとモニタ２４には、例えば図１１に示すように、選択された画像（図示せず）及びプリント枚数の設定を要求するメッセージが表示される。この状態でダウンボタン４５やアップボタン４６によりプリント枚数が設定されて実行ボタン４４が押されると、制御装置２１は、まず印画装置２７に収納されている記録紙の枚数を求め、収納枚数が設定されたプリント枚数より多いか少ないかを判断する。そして、設定されたプリント枚数より多くの記録紙が収納されている場合にはプリント可能と判断して、印画装置２７にプリント開始を指示すると共に、フレームメモリ２６から１印画ラインずつ画像データを印画装置２７に転送する。これによってメモリボタン３２で選択された画像がプリントされる。
　【００４５】
　しかし、記録紙の枚数がプリント枚数より少ない場合には、プリントの途中で記録紙の補給が必要となるので、プリント不可と判断して印画装置２７には印画開始の指示を与えることなく、モニタ２４に記録紙の補給を要求する警告メッセージを表示する。この場合、制御装置２１は、記録紙が補給され、収納枚数がプリント枚数より多いと判断すると、印画装置２７にプリント開始を指示すると共に、フレームメモリ２６から１印画ラインずつ画像データを印画装置２７に転送する。なお、記録紙の枚数を検知する方法としては、例えば収納されている記録紙の重量や厚みを検知し、記録紙１枚の重量や厚みから現在収納されている枚数を求める方法、あるいはインクシートと記録紙を収納するカセットがセットになされているものにおいては、インクシートの残量から記録紙の残量を求める方法等がある。
　【００４６】
　また、メモリカード２９に蓄積されている画像をプリントする場合には、モニタボタン４０でソースの切り換えを行ってカード操作装置２５からの画像をモニタ２４に表示し、順送りボタン４１、逆送りボタン４２を操作してプリントしたい画像をモニタ２４に表示させる。そしてその状態でメモリボタン３２が押されると制御装置２１は当該画面の画像データをフレームメモリ２６に書き込む。このとき制御装置２１は当該画像に設定されている画像再生情報をも取り込み、内部メモリ（図１には図示せず）に記憶する。その後プリントボタン３３が押されるとモニタ２４には、図１１と同様に選択された画像及びプリント枚数の設定を要求するメッセージが表示される。この状態でダウンボタン４５やアップボタン４６によりプリント枚数が設定されて実行ボタン４４が押されると、制御装置２１は、まず印画装置２７に収納されている記録紙の枚数を求め、収納枚数が設定されたプリント枚数より多いか少ないかを判断する。そして、記録紙の枚数がプリント枚数より少ない場合には印画装置２７には印画開始の指示を与えることなく、モニタ２４に記録紙の補給を要求する警告メッセージを表示するが、設定されたプリント枚数より多くの記録紙が収納されている場合には、印画装置２７に対して画像再生情報を与えてプリント開始を指示すると共に、フレームメモリ２６から１印画ラインずつ画像データを印画装置２７に転送する。これによって印画装置２７の各部は与えられた画像再生条件を満足する状態に設定され、プリントが行われる。
　【００４７】
　次にプログラムプリントを行う場合について説明する。メモリカード２９がカード操作装置２５にセットされ、カードプリントボタン３４が押されると、制御装置２１はメモリカード２９のプリントプログラム情報を読み込み、まず各ジョブに設定されているプリント枚数の総計を求めると共に、印画装置２７に収納されている記録紙の枚数を求め、収納枚数が総プリント枚数より多いか否かを判断する。そして、総プリント枚数より多くの記録紙が収納されている場合には、このプリントプログラムで設定されているジョブをジョブ番号の順に実行する。
　【００４８】
　その際、ジョブが一つの画像を１枚の記録紙にプリントするジョブである場合には、制御装置２１は当該ジョブで選択されている画像データをメモリカード２９から読み出してフレームメモリ２６に書き込むと共に、画像再生情報を読み出して印画装置２７に与え、プリント開始を指示する。これにより画像再生情報で設定された通りの画像がジョブで設定された枚数だけプリントされる。
　【００４９】
　また、ジョブがマルチプリントである場合には、制御装置２１は、まずメモリカード２９の画像情報の関連情報を読み出して当該マルチプリントジョブで設定されている画像及びその配置を認識し、次にそれらの画像を順次メモリカード２９から読み出し、フレームメモリ２６の所定の領域に書き込む。その際、各画像は所定の倍率に縮小されることは当然である。そしてその後、制御装置２１は印画装置２７にプリント開始を指示すると共に、フレームメモリ２６から１印画ラインずつ画像データを印画装置２７に転送する。これによって画像情報の関連情報で設定された画像が設定された通りに配置されたマルチプリントが得られる。
　【００５０】
　またジョブがインデックスジョブである場合には、制御装置２１は、メモリカード２９から全ての画像を順次読み出し、所定の倍率で縮小してフレームメモリ２６に展開し、印画装置２７に対してプリント開始を指示する。なお、１枚の記録紙にメモリカード２９に蓄積されている全ての画像をプリントできない場合、例えばメモリカード２９には２０枚の画像が蓄積されているのに対して、インデックスジョブでは１６の画像をマルチプリントするように設定されている場合には、制御装置２１はまず最初の１６の画像を縮小してフレームメモリ２６に書き込み、そのインデックスのプリントが所定枚数終了した後に残りの４つの画像を読み出して、縮小してフレームメモリ２６に書き込み、プリントを行う。
　【００５１】
　以上、画像データが蓄積されたメモリカードを用いた場合のオペレータの操作及びプリンタシステムの動作について説明したが、次に階調制御用テーブルが書き込まれたメモリカードを用いる場合について説明する。
　【００５２】
　制御装置２１は、カード操作装置２５にメモリカード２９がセットされると、そのメモリカード２９のＩＤを読み取る。そして読み取ったＩＤから当該メモリカード２９が階調制御用テーブルが書き込まれたものであると認識すると、書き込まれている階調制御用テーブルを読み出し、印画装置２７のメモリ２８に書き込む。これにより、メモリ２８には当該メモリカードに書き込まれていた階調制御用テーブルがセットされるので、その後はこの階調制御用テーブルにより階調表現がなされることになる。従って、種々の階調制御用テーブルを書き込んだメモリカードを用意しておくことによって、容易に所望の階調特性を得ることができるものである。
　【００５３】
　なお、以上は一つのメモリカードに一つの階調制御用テーブルが書き込まれている場合であるが、一つのメモリカードに複数の階調制御用テーブルが書き込まれている場合には、例えば、モニタ２４に階調制御用テーブルの選択メニュー画面を表示し、Ｕ／Ｉ２２で選択できるようにすればよい。
　【００５４】
　また、図１２に示すように、画像データ毎に、その関連情報としてＬＵＴデータ、即ち階調制御用テーブルを同一のメモリカードに記録することもできるものであり、これによれば当該画像データの印画が指示された場合には、制御装置２１はまずこの画像データに付されている階調制御用テーブルを読み取ってメモリ２８に書き込み、その後当該画像データの印画開始を指示する。従って画像毎に階調制御用テーブルを切り換えることが可能である。
　【００５５】
　以上、本発明の一実施例について説明したが、本発明は上記実施例に限定されるものではなく、種々の変形が可能である。例えば、Ｕ／Ｉに設けるボタンの種類や配置等は図２に示すものに限らず、種々設定できるものであることは当然である。また、上記実施例ではプリントジョブの設定あるいは画質補正の補正値の設定等のメニューは当該画像と重畳表示するものとしたが、ウィンドウ表示を行うようにしてもよいものである。
　また、記録紙が不足している場合の警告はメッセージ表示に限らず、警告音を発するようにしてもよいものである。
　【００５６】
　【発明の効果】
　以上の説明から明らかなように、本発明によれば、小さなメモリカードに多くの画像データを蓄積することができ、且つそのプリントプログラムをも書き込むことができるので、従来のようにＰＣを専用させる必要はなく、システム全体を小型化することができる。
　【００５７】
　また、プリントプログラムによって自動的にプリントすることができるので、オペレータを長時間に渡って拘束することがなく無人運転を行うことができる。更に、プリントを開始する際に記録紙が足りるか否かをチェックするので、無人運転を行う場合であっても途中で記録紙を補給する等の作業を回避することができる。
　【００５８】
【図面の簡単な説明】
　【図１】　本発明の一実施例の構成を示す図である。
　【図２】　Ｕ／Ｉの操作ボタンの例を示す図である。
　【図３】　画像データが蓄積されるメモリカードのメモリ構造の例を示す図である。
　【図４】　マルチプリントを説明する図である。
　【図５】　プリントプログラム情報を説明する図である。
　【図６】　階調制御用テーブルが書き込まれるメモリカードのメモリ構造の例を示す図である。
　【図７】　プリントプログラム設定を説明する図である。
　【図８】　プリントプログラム設定を説明する図である。
　【図９】　マルチプリント設定を説明する図である。
　【図１０】　画質補正設定を説明する図である。
　【図１１】　プリントを行う場合のメニュー画面の例を示す図である。
　【図１２】　画像データが蓄積されるメモリカードのメモリ構造の他の例を示す図である。
　【図１３】　従来のプリンタシステムの構成例を示す図である。
　【図１４】　従来のプリンタシステムの他の構成例を示す図である。
　【符号の説明】
　２０…バス、２１…制御装置、２２…Ｕ／Ｉ、２３…表示コントローラ、２４…モニタ、２５…カード操作装置、２６…フレームメモリ、２７…印画装置、２８…メモリ、２９…メモリカード、３０…外部機器Ｉ／Ｆ、３１…外部機器。